(57)【要約】【課題】ハンドルバーを備える走行車両において、ヘッドライトの照射に関するモードを切り替える専用の操作子を導入せずに、モードを切替可能な構成を提供する。【解決手段】自動二輪車は、ハンドルバーと、ライト操作部と、制御部と、を備える。ライト操作部は、ハンドルバーに設けられており、手動モードでロービームを照射するかハイビームを照射するかを切り替えるライト切替操作と、パッシング操作と、を行うためのものである。制御部は、手動モード、ロービームとハイビームを自動で切り替える第１自動モード、及びハイビームの照射範囲を自動で調整する第２自動モードのうち少なくとも２つのモードを実行可能であり、ライト切替操作及びパッシング操作とは異なる操作であるモード切替操作がライト操作部に行われたと判定した場合に、手動モード、第１自動モード、及び第２自動モードの少なくとも２つの間でモードを切り替える。【選択図】図７
2020152177.tif 000002
【特許請求の範囲】
【請求項１】
ハンドルバーと、
前記ハンドルバーに設けられており、ヘッドライトのロービームとハイビームを手動で切り替える手動モードで前記ロービームを照射するか前記ハイビームを照射するかを切り替えるライト切替操作と、前記ロービームを一時的に前記ハイビームに切り替えるパッシング操作と、を行うためのライト操作部と、
前記手動モード、前記ロービームと前記ハイビームを自動で切り替える第１自動モード、及び前記ハイビームの照射範囲を自動で調整する第２自動モードのうち少なくとも２つのモードを実行可能であり、前記ライト切替操作及び前記パッシング操作とは異なる操作であるモード切替操作が前記ライト操作部に行われたと判定した場合に、前記手動モード、前記第１自動モード、及び前記第２自動モードの少なくとも２つの間でモードを切り替える制御部と、
を備えることを特徴とする走行車両。
【請求項２】
請求項１に記載の走行車両であって、
前記ライト操作部は少なくとも１つの操作子を備え、
前記ライト切替操作は、前記手動モード中かつ前記ロービームの照射中に前記操作子を第１方向に移動させて前記ハイビームの照射に切り替える操作と、前記手動モード中かつ前記ハイビームの照射中に前記操作子を第２方向に移動させて前記ロービームの照射に切り替える操作であり、
前記モード切替操作は、前記操作子を前記第１方向又は前記第２方向に移動させる操作を含むことを特徴とする走行車両。
【請求項３】
請求項２に記載の走行車両であって、
前記制御部は、
前記第１自動モード中又は前記第２自動モード中に前記第１方向の前記ライト切替操作が行われたと判定した場合に、前記手動モードに変更するとともに、前記ハイビームを照射させ、
前記第１自動モード中又は前記第２自動モード中に前記第２方向の前記ライト切替操作が行われたと判定した場合に、前記手動モードに変更するとともに、前記ロービームを照射させることを特徴とする走行車両。
【請求項４】
請求項２又は３に記載の走行車両であって、
前記操作子は、前記第１方向の操作力が与えられることで第１位置に移動し、前記第２方向の操作力が与えられることで第２位置に移動し、当該操作力が無くなることで中立位置に戻るオートリターン型であり、
前記制御部は、前記操作子が前記中立位置から離れて前記第１位置又は前記第２位置に位置している時間である操作時間に基づいて、前記ライト切替操作と前記モード切替操作とを区別することを特徴とする走行車両。
【請求項５】
請求項４に記載の走行車両であって、
前記制御部は、前記操作子の前記第１方向への前記操作時間が閾値時間を超えたと判定したときに前記モード切替操作が行われたと判定し、
前記制御部は、前記操作子が前記第２位置に位置していることを検出した場合に前記パッシング操作が行われたと判定することを特徴とする走行車両。
【請求項６】
請求項５に記載の走行車両であって、
前記制御部は、前記第１自動モード中又は前記第２自動モード中であってかつ前記ロービームの照射中において、前記操作子が前記第２位置に位置して前記中立位置に戻った場合、前記ハイビームを照射させることなく前記手動モードに切り替えることを特徴とする走行車両。
【請求項７】
請求項４から６までの何れか一項に記載の走行車両であって、
前記制御部は、前記手動モード、前記第１自動モード、及び前記第２自動モードの全てを実行可能であり、共通の前記モード切替操作が行われる毎に、所定の順番でモードを切り替えることを特徴とする走行車両。
【請求項８】
請求項２又は３に記載の走行車両であって、
前記操作子は、第１手動位置、第２手動位置、及び自動位置の少なくとも３つの位置に合わせることが可能であり、
前記制御部は、前記操作子が第１手動位置に合わせられた場合は、前記手動モードで前記ハイビームを照射させ、
前記制御部は、前記操作子が第２手動位置に合わせられた場合は、前記手動モードで前記ロービームを照射させ、
前記制御部は、前記操作子が自動位置に合わせられた場合は、前記第１自動モード又は前記第２自動モードを実行することを特徴とする走行車両。
【請求項９】
請求項８に記載の走行車両であって、
前記操作子は、更にパッシング位置に合わせることが可能であり、前記パッシング位置に位置している前記操作子に与える操作力が無くなると前記第２手動位置に戻るように構成されており、
前記制御部は、前記操作子が前記パッシング位置に合わせられている間は、前記ハイビームを照射させることを特徴とする走行車両。
【請求項１０】
請求項１から９までの何れか一項に記載の走行車両であって、
前記ライト操作部とは別に設けられ、前記手動モード、前記第１自動モード、及び前記第２自動モードの有効及び無効を設定する操作を行うための設定操作部を備え、
前記制御部は、前記モード切替操作が行われたと判定した場合、前記設定操作部で有効と設定されたモードの中でモードを切り替えることを特徴とする走行車両。
【発明の詳細な説明】
【技術分野】
【０００１】
本発明は、主として、ハンドルバーを備える走行車両に関する。
【背景技術】
【０００２】
特許文献１には、ハンドルバーを備える車両に設けられるハンドルスイッチ装置が開示されている。運転者がこのハンドルスイッチ装置に所定の操作を行うことで、ヘッドライトのハイビームを照射する状態とロービームを照射する状態とが切り替えられる。
【先行技術文献】
【特許文献】
【０００３】
【特許文献１】特開２０１６−７４２４６号公報
【発明の概要】
【発明が解決しようとする課題】
【０００４】
特許文献１は、ヘッドライトのハイビームとロービームを運転者が手動で切り替えるモードのみを開示しており、ヘッドライトの照射に関する他のモードを開示していない。
【０００５】
本発明は以上の事情に鑑みてされたものであり、その主要な目的は、ハンドルバーを備える走行車両において、ヘッドライトの照射に関するモードを切り替える専用の操作子を導入せずに、モードを切替可能な構成を提供することにある。
【課題を解決するための手段】
【０００６】
本発明の解決しようとする課題は以上の如くであり、次にこの課題を解決するための手段とその効果を説明する。
【０００７】
本発明の観点によれば、以下の構成の走行車両が提供される。即ち、この走行車両は、ハンドルバーと、ライト操作部と、制御部と、を備える。前記ライト操作部は、前記ハンドルバーに設けられており、ヘッドライトのロービームとハイビームを手動で切り替える手動モードで前記ロービームを照射するか前記ハイビームを照射するかを切り替えるライト切替操作と、前記ロービームを一時的に前記ハイビームに切り替えるパッシング操作と、を行うためのものである。前記制御部は、前記手動モード、前記ロービームと前記ハイビームを自動で切り替える第１自動モード、及び前記ハイビームの照射範囲を自動で調整する第２自動モードのうち少なくとも２つのモードを実行可能であり、前記ライト切替操作及び前記パッシング操作とは異なる操作であるモード切替操作が前記ライト操作部に行われたと判定した場合に、前記手動モード、前記第１自動モード、及び前記第２自動モードの少なくとも２つの間でモードを切り替える。
【０００８】
これにより、ライト操作部を用いてヘッドライトの照射に関するモードを切り替えることができるため、モード切替用の操作子が別途設けられる構成と比較して、ハンドルバーに配置される操作子の数を減らすことができる。特に、ハンドルバーを備える走行車両は操作子を配置するスペースが限られるため、上記の効果を一層有効に発揮できる。
【発明の効果】
【０００９】
本発明によれば、ハンドルバーを備える走行車両において、ヘッドライトの照射に関するモードを切り替える専用の操作子を導入せずに、モードを切替可能な構成を実現できる。
【図面の簡単な説明】
【００１０】
【図１】第１実施形態に係る自動二輪車の側面図。
【図２】自動二輪車の前部の平面図。
【図３】ヘッドライトのモード切替に関する電気的な構成を示すブロック図。
【図４】第１自動モードで行われる処理を示す模式図。
【図５】第２自動モードで行われる処理を示す模式図。
【図６】操作子に対して行われる各操作を示す説明図。
【図７】３つのモードが有効である場合に、各操作でどのようにモードが切り替わるかを説明する表。
【図８】ヘッドライトのモード切替に関する処理を示すフローチャート。
【図９】２つのモードが有効である場合に、各操作でどのようにモードが切り替わるかを説明する表。
【図１０】第２実施形態の自動二輪車の電気的な構成を示すブロック図。
【図１１】第３実施形態の自動二輪車の前部の平面図。
【発明を実施するための形態】
【００１１】
次に、図面を参照して本発明の実施形態を説明する。以下の説明では、自動二輪車（走行車両、鞍乗型車両）１に乗車した運転者から見た方向で、自動二輪車１の左右方向を定義する。従って、前後方向は車長方向に一致し、左右方向は車幅方向に一致する。また、鉛直方向（上下方向）は高さ方向に一致する。
【００１２】
初めに、第１実施形態の自動二輪車１の概要について、図１及び図２を参照して説明する。図１は、自動二輪車１の側面図である。図２は、自動二輪車１の前部の平面図である。図１に示すように、自動二輪車１は、車体１０と、前輪１１と、後輪１２と、を備える。
【００１３】
車体１０は、自動二輪車１の骨格となる複数の車体フレームを含んでいる。これらの車体フレームには、自動二輪車１を構成する様々な部品が取り付けられている。車体１０の車長方向の中央近傍には、エンジン１３が設けられている。エンジン１３は、自動二輪車１を走行させるための駆動源である。本実施形態のエンジン１３はガソリンエンジンである。なお、ガソリンエンジンに代えて又は加えて他の駆動源、例えば走行用の電動モータが設けられていてもよい。エンジン１３で発生した動力は、図略のドライブチェーンを介して後輪１２に伝達される。これにより、自動二輪車１を走行させることができる。
【００１４】
車体フレームには、アッパーブラケット１４及びロアブラケット１５等を介してフロントフォーク１６が取り付けられている。フロントフォーク１６は、正面視で前輪１１を挟むように左右一対で配置されている。フロントフォーク１６の上端の近傍にはハンドルユニット１７が配置されている。運転者がハンドルユニット１７を回動させることで、フロントフォーク１６が回動するため、自動二輪車１の進行方向を変更することができる。
【００１５】
ハンドルユニット１７は、アッパーブラケット１４及びフロントフォーク１６の少なくとも一方に取り付けられるハンドルバー３１を備える。本実施形態では、ハンドルバー３１は左右に分かれて合計２つ配置されている。これに代えて、左右に延びるように（車幅方向中央と交わるように）配置される１つのハンドルバー３１を採用してもよい。
【００１６】
左右一対のハンドルバー３１には、グリップ３２と、レバー３３と、ハンドルスイッチ３４と、それぞれが設けられている。右側のグリップ３２は、回動式のスロットルグリップである。左側のレバー３３はクラッチレバーであり、右側のレバー３３はブレーキレバーである。また、左側のハンドルスイッチ３４には、ライト操作部４１が設けられている。ライト操作部４１とは、ヘッドライト１８の照射に関する操作を行うための構成である。更に詳細には、ライト操作部４１は、ヘッドライト１８のハイビームとロービームを切り替える操作と、パッシングを行うためのパッシング操作と、の両方を行うための構成である。本実施形態では、ライト操作部４１はリターンレバー４１ａ（操作子）のみで構成されているが、後述の第３実施形態に示すように、複数の操作子を含んで構成されていてもよい。
【００１７】
また、左側のハンドルスイッチ３４には、更に、方向指示器を動作させる方向指示器操作部、ホーンを動作させるホーン操作部、左右の方向指示器を同時に点滅させるハザードランプ操作部等が設けられていてもよい。右側のハンドルスイッチ３４には、例えば、エンジンを始動させるエンジン始動操作部、運転者が機能を割り当てることができる多機能操作部等が設けられていてもよい。
【００１８】
車体１０の前端には、前方に光を照射するヘッドライト１８が配置されている。ヘッドライト１８の光源は、例えば、白熱電球、ハロゲン電球、ＨＩＤ（Ｈｉｇｈ−Ｉｎｔｅｎｓｉｔｙ  Ｄｉｓｃｈａｒｇｅ）ランプ、発光ダイオード（ＬＥＤ）である。ヘッドライト１８は、例えば左右１対で設けられていてもよいし、車幅方向中央部のみに設けられていてもよい。ヘッドライト１８は、ロービームを照射する状態とハイビームを照射する状態とを切替可能に構成されている。ヘッドライト１８は、共通の光源を用いてロービームとハイビームを照射可能な構成であってもよいし、ロービーム専用の光源とハイビーム専用の光源を用いる構成であってもよい。
【００１９】
ハンドルユニット１７の前方であって、車幅方向中心近傍には、メータ装置（設定操作部）１９が配置されている。メータ装置１９は、エンジン回転速度、車速、及び警告等の自動二輪車１に関する情報を表示することができる。また、メータ装置１９は図略のキー又はタッチパネルを備えており、これらの操作により、様々な設定を変更することができる。
【００２０】
ハンドルユニット１７の後方であって、エンジン１３の上方には、エンジン１３に供給するための燃料が貯留される燃料タンク２０が配置されている。燃料タンク２０の後方には、運転者が跨って着座するためのフロントシート２１が配置されている。運転者は、フロントシート２１に着座した状態で、燃料タンク２０及びその下方を、脚の膝部分で挟んで身体を安定させるとともに重心を左右に移動させて操舵操作の一部又は車体傾斜操作を行う。
【００２１】
自動二輪車１の外表面にはカウル２２が配置されている。カウル２２は、自動二輪車１の空気抵抗の低減、自動二輪車１が有する各部品の保護、及び外観の向上等の目的で設けられている。本実施形態のカウル２２は、自動二輪車１の前部（例えばヘッドライト１８の周囲）を覆うとともに、自動二輪車１の側面の一部を覆う。図１に示すカウル２２の形状は一例であり、カウル２２が配置される位置及びカウル２２の形状は、図１に示す例とは異なっていてもよい。
【００２２】
ハンドルユニット１７の前方には、ウインドシールド２３が配置されている。ウインドシールド２３は、下端部（基端部）から後ろ斜め上方に延びるように配置されている。この構成により、ウインドシールド２３は、走行風の導風を行って、走行風を運転者に当たりにくくする。また、ウインドシールド２３は、運転者の視界を確保するために、透明又は半透明であり、可視光を透過可能である。
【００２３】
次に、図３から図５を参照して、ヘッドライト１８の照射に関するモードについて説明する。以下では、ヘッドライト１８の照射に関するモードを単にモードと称することがある。
【００２４】
本実施形態の自動二輪車１は、手動モード、第１自動モード、及び第２自動モードの３つのモードを実行可能である。以下では、第１自動モードと第２自動モードをあわせて単に「自動モード」と称することがある。自動二輪車１は、これらのモードを実行するための構成として、自動二輪車１は、前方検出ユニット５０を備える。前方検出ユニット５０は、制御部５１と、前方検出部５２と、が一体となった構成（例えば同じハウジングに取り付けられて一体的に移動可能な構成）である。なお、制御部５１と前方検出部５２は別体であってもよい。
【００２５】
制御部５１は、ＣＰＵ等の演算装置と、フラッシュメモリ等の記憶装置と、を備える。制御部５１は、ヘッドライト１８を制御することで（詳細にはヘッドライト１８に電圧を与えるユニットを制御することで）、ヘッドライト１８にハイビームを照射させる状態と、ヘッドライト１８にロービームを照射させる状態を切り替えることができる。更に、制御部５１は、上記の３つのモードを実行するための制御、及び、モードを切り替える制御についても行うことができる。制御部５１は、ヘッドライト１８に関する制御のみを行う構成であってもよいし、他の制御も実行可能な構成であってもよい。制御部５１は、例えばメータ装置１９の一部であってもよい。即ち、メータ装置１９の表示に関する制御、及び、ハンドルスイッチ３４の操作に応じた制御を行う構成であってもよい。
【００２６】
前方検出部５２は、図２に示すよう自動二輪車１の前部に設けられている。前方検出部５２は、例えば前方の映像を取得するカメラである。前方検出部５２が取得した映像は、制御部５１へ出力される。制御部５１は、前方検出部５２が取得した映像を解析して、例えば、前走車の位置、対向車の位置、及び周囲の明るさを検出する。前走車の位置は、例えば前走車のテールライトに基づいて検出できる。対向車の位置は、対向車のヘッドライト又はヘッドライトで照射された路面等に基づいて検出できる。なお、前方検出部５２は、カメラに限られず、超音波センサ又はレーダ装置であってもよい。また、前方検出部５２は、映像ではなく明るさ（光強度）のみを検出するセンサであってもよい。制御部５１は、自動モード中において、前方検出部５２を用いて検出された情報に基づいてヘッドライト１８を制御する。
【００２７】
本実施形態の前方検出ユニット５０は、ウインドシールド２３で覆われる位置（より詳細にはウインドシールド２３の後方）に配置されている。上述したようにウインドシールド２３は可視光を透過可能であるため、カメラとしての前方検出部５２は、ウインドシールド２３を介して前方の映像を取得可能である。
【００２８】
また、前方検出部５２は、カウル２２内に配置されていてもよい。ただし、カウル２２は可視光を透過しないため、カウル２２に開口部を形成し、この開口部を介して、カメラとしての前方検出部５２が前方の映像を取得することが好ましい。この場合、カウル２２の開口部は、可視光を透過可能な部材で覆われていてもよい。なお、前方検出部５２は、上述した例に限られず、前方の情報を取得可能であれば、これらの例とは異なる位置に配置されていてもよい。
【００２９】
以下、自動二輪車１が実行可能な３つのモードについて説明する。手動モードは、運転者がライト操作部４１を操作することで（即ち手動で）、ヘッドライト１８がロービームを照射する状態と、ハイビームを照射する状態と、が切り替わるモードである。
【００３０】
第１自動モードは、制御部５１が周囲の状況を判断して（即ち自動で）、ヘッドライト１８のロービームとハイビームを切り替えるモードである。例えば、制御部５１は、図４に示すように通常はハイビームを照射し、対向車１００までの距離が閾値より近い場合に、ロービームに切り替える。これにより、対向車１００の運転者が眩惑しにくくなる。また、制御部５１は、前走車までの距離が閾値より近い場合にも、ヘッドライト１８にロービームを照射させる。ただし、制御部５１は、自動二輪車１が市街地等の明るい場所を走行していると判断した場合は、対向車１００又は前走車が検出できないときでもヘッドライト１８にロービームを照射させる。これは、周囲が明るいためハイビームがあまり必要でなく、更に、他の車両及び歩行者が多く、眩惑させる可能性が高くなるためである。第１自動モードでハイビームとロービームを切り替える条件は一例であり、他の条件（例えば車速）が設定されていてもよい。
【００３１】
第２自動モードは、制御部５１が周囲の状況を判断して（即ち自動で）、ハイビームの照射範囲を自動で調整するモードである。例えば、制御部５１は、図５に示すように通常はハイビームを照射し、対向車１００までの距離が閾値より近い場合に、対向車１００が存在する位置を避けるように、ヘッドライト１８にハイビームを照射させる。これにより、遠方の視界を確保しつつ、対向車１００の運転者が眩惑しにくい。ハイビームの照射範囲を調整する構造は様々であるが、例えばヘッドライト１８が複数の光源を備えており、ハイビームを照射しないと決定した領域に対応する光源を消灯する構造を採用できる。あるいは、ハイビームの光源のうち、ハイビームを照射しないと決定した領域に対応する部分を覆うことで、ハイビームの照射範囲を調整する構造であってもよい。また、制御部５１は、前走車までの距離が閾値より近い場合にも、前走車を避けるように、ヘッドライト１８にハイビームを照射させる。第２自動モードでは照射範囲が調整されるため、基本的にハイビームを照射させるが、所定の条件を満たした場合にロービームを照射させる制御を行ってもよい。
【００３２】
次に、第１自動モード及び第２自動モードにおいて、自動二輪車１に特有の構成に基づいて制御部５１が行い得る制御について説明する。なお、以下で説明する制御は省略してもよい。
【００３３】
自動二輪車１は、ヘッドライト１８が常時点灯する構成である。運転者によっては、日中と日没後でヘッドライト１８の照射に関するモードを変更したいと考える可能性もある。そのため、制御部５１は、例えば時刻及び周囲の明るさの少なくとも一方に基づいて、日中であることが特定できた場合、予め定めた何れかのモードを実行させるようにしてもよい。なお、日中であることを特定してモードを切り替えた場合は、その旨をメータ装置１９に表示することが好ましい。
【００３４】
自動二輪車１は、メータ装置１９が外部に露出している。そのため、昼間と夜間の両方でメータ装置１９の適切な視認性を確保するため、周囲の明るさの検出結果に基づいてメータ装置１９の画面の輝度及び表示色等を変更している。一般的な自動二輪車は、周囲の明るさを検出するための専用の光学センサを備える。この点、本実施形態の自動二輪車１は前方検出部５２を備える。前方検出部５２が、カメラ等の周囲の明るさを検出できる場合は、前方検出部５２の検出結果に基づいて、メータ装置１９の輝度及び表示色を変更してもよい。これにより、メータ装置１９の輝度及び表示色等を変更するための専用のセンサが不要となる。
【００３５】
自動二輪車１は、前後方向（車長方向）に延びる軸回りに回転するように、車体１０を旋回方向内側に傾斜させて旋回を行う。そのため、車体１０が傾斜することで、前方検出部５２が検出する情報も変化する。例えば、前方検出部５２がカメラである場合は、傾斜した映像が取得される。そのため、制御部５１は、車体１０の傾斜により変化した情報を補正して、周囲の状況を検出する。例えば、車体１０の傾斜により映像が変化した場合、映像に含まれる対象物が一様に回転するため、傾斜の有無及び傾斜の程度等を特定できる。従って、車体１０の傾斜の影響を打ち消す補正を行うことで、周囲の状況を検出できる。なお、自動二輪車１に傾斜センサを配置し、傾斜センサの検出結果に基づいて、前方検出部５２が検出した情報を補正してもよい。傾斜センサとは、前後方向を回動軸方向とした自動二輪車１の傾倒角度（いわゆるバンク角）を検出するセンサである。
【００３６】
また、車体１０が傾斜することで、ヘッドライト１８の高さが低くなるとともに、ヘッドライト１８の向きも変化する。そのため、車体１０の傾斜角に応じて、ヘッドライト１８の光の照射範囲（照射距離と水平方向の広がり）も変化する。従って、第１自動モードでロービームを照射するかハイビームを照射するかを判断する際に、車体１０の傾斜角を用いてもよい。また、第２自動モードでハイビームの照射範囲を決定する際に、車体１０の傾斜角を用いてもよい。
【００３７】
次に、図６及び図７を参照して、ヘッドライト１８の照射に関して運転者が行う操作について説明する。以下では、手動モード時のハイビームとロービームを切り替える操作を「ライト切替操作」と称し、パッシングを行うための操作を「パッシング操作」と称し、モードを切り替える操作を「モード切替操作」と称する。これらの操作は、当然異なる操作であるが、それぞれの操作の一部同士が共通することもある。
【００３８】
本実施形態では、ライト切替操作、パッシング操作、及びモード切替操作の全てを、ライト操作部４１のリターンレバー４１ａを用いて行うことができる。図３に示すように、リターンレバー４１ａは、第１方向及び第２方向に移動可能（回動可能）に構成されている。これにより、リターンレバー４１ａは、中立位置Ｐ０、中立位置Ｐ０より第１方向にある第１位置Ｐ１、及び中立位置Ｐ０より第２方向にある第２位置Ｐ２の間で位置を切替可能である。
【００３９】
また、リターンレバー４１ａの基端部には図略の検出素子が配置されており、リターンレバー４１ａが中立位置Ｐ０、第１位置Ｐ１、及び第２位置Ｐ２の何れに位置しているかに応じて、異なる信号を制御部５１に送信する。また、図３に示すように、リターンレバー４１ａには、リターンレバー４１ａを中立位置Ｐ０に向けて付勢するバネ等の付勢部が取り付けられている。この構成により、リターンレバー４１ａは、運転者の操作力が与えられなくなると、中立位置Ｐ０に戻る。言い換えれば、リターンレバー４１ａは、オートリターン型の操作子である。
【００４０】
初めに、ライト切替操作について説明する。ライト切替操作は、手動モードでハイビームを照射する状態にするための操作と、手動モードでロービームを照射する状態にするための操作の２種類存在する。以下、具体的に説明する。
【００４１】
手動モードでハイビームを照射する状態にするためには、図６に示す第１短操作（ライト切替操作）が行われる。第１短操作とは、中立位置Ｐ０にあるリターンレバー４１ａに第１方向の操作力を与えて第１位置Ｐ１に位置させた後、閾値時間Ｔ１を超える前に操作力を解除して、リターンレバー４１ａを中立位置Ｐ０に戻す操作である。なお、以下の説明では、リターンレバー４１ａが中立位置Ｐ０から離れて第１位置Ｐ１又は第２位置Ｐ２に位置している時間を「操作時間」と称する。中立位置Ｐ０から離れた瞬間に操作時間のカウントが開始する構成であってもよいし、第１位置Ｐ１又は第２位置Ｐ２に到達したタイミングで操作時間のカウントが開始する構成であってもよい。
【００４２】
ここで、手動でハイビームを照射する状態にするためにリターンレバー４１ａを移動させる方向を第１方向と定義する。本実施形態の第１方向は、成分に前方と上方の少なくとも一方を含む方向である。ハイビームは、ロービームよりも前方を照射し、かつ、ロービームよりも上向きである。従って、第１方向とハイビームには関連性がある。そのため、運転者にとって直感的に理解し易い操作が実現されている。
【００４３】
制御部５１は、リターンレバー４１ａがどこに位置しているかを検出可能であるため、第１短操作が行われたか否かの判定を行うことができる。図７に示すように、制御部５１は、第１短操作（ハイビームへのライト切替操作）が行われたと判定した場合、現在のモードに関係なく、手動モードでハイビームを照射する状態に切り替える。
【００４４】
手動モードでロービームを照射する状態にするためには、図６に示す第２操作（ライト切替操作）が行われる。第２操作とは、中立位置Ｐ０にあるリターンレバー４１ａに第２方向の操作力を与えて第２位置Ｐ２に位置させた後に、操作力を解除してリターンレバー４１ａを中立位置Ｐ０に戻す操作である。本実施形態では、第２方向への操作は長短を区別しないため、操作時間に関する条件は設定されていない。
【００４５】
ここで、手動でロービームを照射する状態にするためにリターンレバー４１ａを移動させる方向を第２方向と定義する。第２方向は、第１方向とは逆の方向である。本実施形態の第２方向は、成分に後方と下方の少なくとも一方を含む方向である。従って、第２方向とロービームには関連性がある。そのため、運転者にとって直感的に理解し易い操作が実現されている。
【００４６】
制御部５１は、第２操作が行われたと判定した場合、現在のモードに関係なく、手動モードでロービームを照射する状態に切り替える。
【００４７】
次に、パッシング操作について説明する。パッシングとは、ロービームの照射中に一時的に（瞬間的に）ハイビームを照射することである。パッシングを行うためには、図６に示すパッシング操作が行われる。パッシング操作とは、中立位置Ｐ０にあるリターンレバー４１ａに一時的に（瞬間的に）第２方向の操作力を与えて第２位置Ｐ２に一時的に（瞬間的に）位置させる操作である。
【００４８】
制御部５１は、パッシング操作が行われた場合、一時的にハイビームを照射させる。具体的には、制御部５１は、リターンレバー４１ａが第２位置Ｐ２に位置している間のみハイビームを照射し、リターンレバー４１ａが第２位置Ｐ２から離れて中立位置Ｐ０に戻った場合に、ロービームを照射させる。ここで、ロービームが照射されるのは、リターンレバー４１ａが中立位置Ｐ０、第２位置Ｐ２、中立位置Ｐ０と移動することで、第２操作が行われたと制御部５１が判定するためである。言い換えれば、パッシング操作が行われた場合は、その後に手動でロービームを照射する状態に切り替わる。
【００４９】
次に、モード切替操作について説明する。本実施形態の自動二輪車１は、３つのモードを実行可能であり、これらの３つのモード間でモードを切り替えるためには、図６に示す第１長操作（モード切替操作）が行われる。第１長操作とは、中立位置Ｐ０にあるリターンレバー４１ａに第１方向の操作力を与えて第１位置Ｐ１に位置させ、操作時間が閾値時間Ｔ１を超えた後に操作力を解除して、リターンレバー４１ａを中立位置Ｐ０に戻す操作である。
【００５０】
このように、第１短操作と第１長操作とでは、操作時間が異なる。従って、制御部５１は、操作時間の差に基づいて、ライト切替操作とモード切替操作とを区別している。制御部５１は、第１長操作が行われたと判定する毎に、手動モード、第１自動モード、及び第２自動モードの中で順番にモードを切り替える。言い換えれば、制御部５１は、第１長操作が行われたと判定した場合、手動モードから自動モードに切り替える処理、複数の自動モード間でモードを切り替える処理、自動モードから手動モードに切り替える処理を行う。
【００５１】
また、モード切替操作で自動モードから手動モードに切り替わった場合、制御部５１は、手動モードでハイビームを照射する状態に切り替えてもよいし、手動モードでロービームを照射する状態に切り替えてもよい。例えば、第１自動モードから手動モードに切り替わった場合では、第１自動モードで切替直前に照射していた方のビームを継続して照射してもよい。あるいは、自動モードから手動モードに切り替わった直後にハイビームとロービームの何れを照射するかを、例えばメータ装置１９を操作する等して事前に設定可能であってもよい。若しくは、制御部５１が周囲の状況を判定して、自動モードから手動モードに切り替わった直後にハイビームとロービームの何れを照射するかを決定してもよい。つまり、制御部５１は、前方検出部５２の検出結果に基づいて対向車及び前走車が近くにいないと判定したときは（即ち第１自動モードのハイビームの照射条件を満たすときは）手動モードでハイビームを照射する状態に切り替え、そうでないときは（即ち第１実施形態のハイビームの照射条件を満たさないときは）手動モードでロービームを照射する状態に切り替える。
【００５２】
また、モードが切り替えられた場合、制御部５１は、切替後のモードをメータ装置１９に表示する処理を行う。メータ装置１９には、現在実行中のモードが常時表示される構成であってもよいし、モードの切替時のみ切替後のモードが表示される構成であってもよい。
【００５３】
次に、第１長操作をモード切替操作とする利点について説明する。
【００５４】
自動二輪車１のようにハンドルバー３１を備える走行車両では、ステアリングホイールを備える４輪車等とは異なり、レバーやボタン等の操作子を取り付けられるスペースが限られる。また、ハンドルバー３１を備える走行車両では、走行中は基本的に両手で左右のグリップ３２を掴む必要があるので、グリップ３２から遠い位置に操作子を取り付けることは好ましくない。特に、近年では自動二輪車１に設けられる機能の追加により、操作子が追加される傾向にある。そのため、仮にモード切替専用の操作子をハンドルスイッチ３４に設けた場合、他の操作子の設置が制約される。この点、リターンレバー４１ａの「長操作」をモード切替操作とすることで、モード切替専用の操作子を設けることなく、モード切替を実現できる。
【００５５】
また、従来の自動モードを有していない自動二輪車では、一般的にライト切替操作は「短操作」であるか、スイッチの位置を切り替えるだけの操作であるため、ライト切替操作を「短操作」とすることで運転者に違和感を与えにくい。更に、手動モード中では、周囲の状況に応じて頻繁にハイビームとロービームを切り替える可能性があるため、ライト切替操作は操作時間が短く素早い対応が可能な「短操作」であることが好ましい。モード切替操作は、操作時間が短操作より長く運転者の操作意思を確実に確認し易い「長操作」である。仮にモード切替操作を「短操作」とした場合、操作時間が短いことに起因して運転者の操作意思に反してモードが切り替えられる可能性がある。このように、モード切替操作は「長操作」であることが好ましい。
【００５６】
また、本実施形態のモード切替操作は、第１方向の操作である。自動モードは基本的にハイビームを照射し、一定条件下で光の照射を抑制するモードである。従って、モード切替操作を第１方向（手動モードでハイビームを照射する状態にするための方向）の操作とすることで、運転者がモード切替操作を直感的に把握し易い。また、仮にモード切替操作が第２方向の操作である場合、モード切替操作を行うためにリターンレバー４１ａを第２位置Ｐ２に位置させている間はパッシング操作が行われたと判定されるため、ハイビームが照射され得る。モード切替時に閾値時間Ｔ１以上の間にわたってハイビームが照射されることは好ましくない。従って、モード切替操作は第１方向の操作であることが好ましい。
【００５７】
次に、図８を参照して、ヘッドライト１８のモード切替に関する処理の流れについて簡単に説明する。図８に示すフローチャートは一例であり、別の処理が追加されたり、処理順序が変更されたり、一部の処理が省略されたりしてもよい。
【００５８】
制御部５１は、第１短操作が行われたと判定した場合は（Ｓ１０１）、手動モードを実行してハイビームを照射させる（Ｓ１０２）。また、制御部５１は、第１長操作が行われたと判定した場合は（Ｓ１０３）、有効と設定されたモードの中でモードを切り替える（Ｓ１０４）。
【００５９】
ここで、本実施形態では、第２操作の一部がパッシング操作と重複している。従って、例えば第１自動モード中にロービームが照射されている状況において、第２操作が行われた場合、リターンレバー４１ａが一時的に第２位置Ｐ２に位置するため、制御部５１は、パッシング操作が行われたと判定し、一時的にハイビームが照射される。そのため、例えば対向車又は前走車が近くに存在し得る状況でハイビームが一時的に照射されることとなる。
【００６０】
これを防止するため、本実施形態では、自動モード中に第２操作が行われた場合、ハイビームを照射することなく手動モードに切り替える。具体的には、制御部５１は、リターンレバー４１ａが第２位置Ｐ２に移動したと判定した場合（Ｓ１０５）、手動モード中か否かを判定する（Ｓ１０６）。手動モード中である場合は、パッシング操作が行われたと推定できるので、制御部５１は、リターンレバー４１ａが第２位置Ｐ２に位置している間はハイビームを照射する（Ｓ１０７）。一方、制御部５１は、手動モード中でない場合（即ち、自動モード中である場合）、リターンレバー４１ａが第２位置Ｐ２に位置していてもハイビームを照射させない。
【００６１】
その後、制御部５１は、手動モード中であっても自動モード中であっても、リターンレバー４１ａが中立位置Ｐ０に移動したと判定した場合（Ｓ１０８）、第２操作が行われたと判定して手動モードでロービームを照射する状態に切り替える（Ｓ１０９）。この制御を行うことにより、第２操作で手動モードに切り替える場合において、一時的にハイビームが照射されない。
【００６２】
次に、図９を参照して、本実施形態の自動二輪車１が有するモードの有効及び無効の設定処理について説明する。
【００６３】
自動二輪車１は、３つのモードを有するが、運転者によっては、それらのモードの１つが不要と考える可能性がある。例えば第１自動モードが不要である場合において、手動モードから第２自動モードに切り替えるときは、モード切替操作を２回行う必要がある。従って、運転者にとって手間となる。
【００６４】
この手間を軽減するために、本実施形態の自動二輪車１では、３つのモードの有効及び無効を事前に設定することが可能である。具体的には、運転者は、例えば走行の開始前においてメータ装置１９の操作部を操作する等してメータ装置１９に所定の設定画面を表示させ、各モードの有効及び無効を設定することができる。制御部５１は、無効と設定されたモードには切り替わらないように、モードを切り替える処理を行う。なお、ハンドルスイッチ３４を操作して、メータ装置１９に対して指示を行ってもよい。また、メータ装置１９以外の別の装置に対して、モードの有効又は無効を設定可能であってもよい。
【００６５】
図９には、第１自動モードが無効とされた状況において、各操作が行われた場合のモードの変化について示されている。図９に示すように、制御部５１は、手動モードで第１長操作が行われたと判定した場合、手動モードから第２自動モードに切り替える。これにより、第１長操作を１回行うだけで、第２自動モードに切り替えることができる。また、図９の（ａ）に示すように、制御部５１は、第１長操作が行われたと判定する毎に手動モードと第２自動モードとの間でモードを切り替える。
【００６６】
第１自動モードが無効である場合、有効な自動モードが１つとなる。この場合、自動モード同士の切替えは発生しない。従って、図９の（ｂ）に示すように、制御部５１は、第２自動モード中に第１長操作が行われたと判定した場合でも、手動モードに切り替えずに、第２自動モード（同じ自動モード）を維持してもよい。これにより、運転者が現在のモードを把握していない場合であって、更にメータ装置１９の表示を確認する余裕がないときにおいても、確実に所望の自動モードを実行することができる。
【００６７】
図９には示していないが、第２自動モードが無効とされた状況では、制御部５１は、第１長操作が行われたと判定する毎に手動モードと第１自動モードとの間でモードを切り替える。また、手動モードが無効とされた状況では、制御部５１は、第１長操作が行われたと判定する毎に第１自動モードと第２自動モードとの間でモードを切り替える。
【００６８】
上記の第１実施形態で示した操作及び当該操作が行われた場合の制御部５１の処理は一例であり、例えば以下のように変更できる。
【００６９】
第１実施形態では、リターンレバー４１ａが第１位置Ｐ１又は第２位置Ｐ２に位置して、中立位置Ｐ０に戻ったときに、制御部５１は、第１短操作、第１長操作、第２操作が行われたと判定する。これに代えて、第１位置Ｐ１又は第２位置Ｐ２に到達した時点（第１長操作に関しては操作時間が閾値時間Ｔ１を超えた時点）で、制御部５１は、それぞれの操作が行われたと判定してもよい。
【００７０】
第１実施形態では、制御部５１は、自動モード中にライト切替操作（第１短操作、第２操作）が行われたと判定すると、手動モードを実行する。これに代えて、制御部５１は、自動モード中にライト切替操作が行われても手動モードに切り替えなくてもよい。つまり、自動モードから手動モードの切替えにもモード切替操作（第１長操作）が要求されてもよい。これにより、誤って運転者の手がリターンレバー４１ａに触れて手動モードに切り替わるという事態が発生しにくくなる。また、第１自動モード中で周囲に対向車等がいるためロービームが照射されている状況で、運転者がパッシング操作を行ってパッシングを行った場合において、パッシング操作後に手動モードに切り替わらない。従って、自動モード継続しつつパッシングを行うことができる。
【００７１】
第１実施形態では、第２操作の長短を区別しないが、第２操作の長短を区別して別の機能を割り当ててもよい。割り当てる機能は様々であるが、例えば、第１長操作が行われた場合は第１自動モードが実行され、第２長操作が行われた場合は第２自動モードが実行されるようにしてもよい。このように、モード切替操作は１つに限られず複数であってもよい。
【００７２】
第１実施形態では、モード切替操作が第１長操作であるが、第１短操作、第２操作（第２短操作、第２長操作）の何れであってもよい。また、運転者が第１方向にリターンレバー４１ａを所定時間（例えば１秒）に所定回数（例えば２回）位置させる操作であってもよい。また、運転者がリターンレバー４１ａを第１位置Ｐ１に位置させた後に、所定時間内に第２位置Ｐ２に位置させる操作であってもよい。
【００７３】
第１実施形態では、ライト切替操作、パッシング操作、及びモード切替操作を行うための操作子が全て共通であるが、パッシング操作を行うための操作子は、他の２つの操作を行うための操作子とは別であってもよい。この構成により、モード切替操作中に意図せずハイビームが照射されることを簡単に防止できる。
【００７４】
第１実施形態のリターンレバー４１ａの形状及び構成は一例であり、変更可能である。例えば、リターンレバー４１ａは、押圧箇所が２つあるオートリターン型のボタンであってもよい。また、リターンレバー４１ａは、直線的にスライド移動させるタイプの操作子であってもよい。
【００７５】
次に、図１０を参照して、第２実施形態について説明する。図１０は、第２実施形態の自動二輪車１の電気的な構成を示すブロック図である。
【００７６】
第２実施形態では、ライト操作部４１の構成が第１実施形態とは異なる。第２実施形態のライト操作部４１は、図１０に示す切替レバー４１ｂ（操作子）で構成されている切替レバー４１ｂは、第１手動位置Ｐ１１、第２手動位置Ｐ１２、自動位置Ｐ１３、及びパッシング位置Ｐ１４に合わせることができる。切替レバー４１ｂは、運転者の操作力が与えられなくなっても、第１手動位置Ｐ１１、第２手動位置Ｐ１２、及び自動位置Ｐ１３を保持できる。切替レバー４１ｂには、パッシング位置Ｐ１４にある切替レバー４１ｂを第２手動位置Ｐ１２へ付勢するバネ等の付勢部が設けられている。この構成により、リターンレバー４１ａは、パッシング位置Ｐ１４に位置している状態で運転者の操作力が与えられなくなると、第２手動位置Ｐ１２に戻る。
【００７７】
切替レバー４１ｂの基端部には図略のスイッチが配置されており、切替レバー４１ｂの位置に応じて異なる信号が制御部５１へ送信される。これにより、制御部５１は、切替レバー４１ｂがどこに位置しているかを検出可能である。
【００７８】
第２実施形態では、切替レバー４１ｂの位置に応じてモードが決定される。即ち、制御部５１は、切替レバー４１ｂが第１手動位置Ｐ１１に位置していると判定した場合、手動モードを実行してハイビームを照射する。制御部５１は、切替レバー４１ｂが第２手動位置Ｐ１２に位置していると判定した場合、手動モードを実行してロービームを照射する。制御部５１は、切替レバー４１ｂが自動位置Ｐ１３に位置していると判定した場合、自動モードを実行する。第１自動モードと第２自動モードの何れを実行するかは、メータ装置１９等を操作することで、事前に設定されている。また、制御部５１は、切替レバー４１ｂがパッシング位置Ｐ１４に位置していると判定している間は、ハイビームを照射する。
【００７９】
第２実施形態の構成においても、切替レバー４１ｂのみを用いて、更に言えば切替レバー４１ｂを第１方向又は２方向に移動させる操作を行うだけで、ライト切替操作、モード切替操作、及びパッシング操作の全てを行うことができる。
【００８０】
本実施形態では、第１方向側の端部から順に第１手動位置Ｐ１１、自動位置Ｐ１３、第２手動位置Ｐ１２、及びパッシング位置Ｐ１４が配置されている。この配置では、運転者は、常にハイビームを照射したい場合は切替レバー４１ｂを最も第１方向側に位置させ、常にロービームを照射したい場合は切替レバー４１ｂを最も第２方向側に位置させればよいため、操作方法を直感的に実感し易い。中途位置にある自動位置Ｐ１３に切替レバー４１ｂを位置させるためには、装置構成によっては、操作力の微調整が必要になる可能性がある。しかし、手動モードと自動モードを頻繁に変更する事態はあまり想定されないため、自動位置Ｐ１３を中途位置にすることが好ましい。
【００８１】
また、第１実施形態のライト操作部４１では、手動モードから自動モードに切り替える際に長操作が必要となるが、第２実施形態のライト操作部４１では、長操作は不要である。従って、短い時間で切替えを行うことがでいる。
【００８２】
また、パッシング操作は、その特性上オートリターン型の操作子で行うことが好ましい。この点、切替レバー４１ｂのように、一部の位置だけでオートリターンを有効とすることで、第２実施形態のライト操作部４１においても、３つの操作を１つの操作子で実現できる。
【００８３】
上記の第２実施形態で示した操作及び当該操作が行われた場合の制御部５１の処理は一例であり、例えば以下のように変更できる。
【００８４】
自動位置Ｐ１３は、最も第１方向側であってもよい。この場合、手動モードでハイビームとロービームを切り替える際に、切替レバー４１ｂを移動させる距離を少なくできる。
【００８５】
自動位置Ｐ１３が２つ設けられてもよい。この場合、制御部５１は、切替レバー４１ｂが第１自動位置Ｐ１３に位置していることを検出した場合は、第１自動モードを実行する。制御部５１は、切替レバー４１ｂが第２自動位置Ｐ１３に位置していることを検出した場合は、第２自動モードを実行する。
【００８６】
第１実施形態の変形例でも説明したが、パッシング操作を行うための操作子は、他の２つの操作を行うための操作子とは別であってもよい。この構成により、モードを変更することなくパッシングを行うことができる。また、切替レバー４１ｂの形状及び操作方法も適宜変更可能である。
【００８７】
次に、図１１を参照して、第３実施形態について説明する。図１１は、第３実施形態の自動二輪車１の前部の平面図である。
【００８８】
第１実施形態及び第２実施形態では、ライト操作部４１を構成する操作子は１つである。これに対し、第３実施形態では、ライト操作部４１を構成する操作子が２つ（切替ボタン４１ｃ及びパッシングボタン４１ｄ）である。
【００８９】
切替ボタン４１ｃは、ハイビーム側（前端）とロービーム側（後端）の何れかが押圧状態となる操作子である。制御部５１は、手動モード中において、ハイビーム側が押圧状態であることを検出している間は、ハイビームを照射させる。また、制御部５１は、手動モード中において、ロービーム側が押圧状態であることを検出している間は、ロービームを照射させる。また、制御部５１は、手動モード中でロービームの照射中において、パッシングボタン４１ｄが押圧されていることを検出している間は、ハイビームを照射する。このように、切替ボタン４１ｃ及びパッシングボタン４１ｄは何れもヘッドライト１８の照射に関する操作を行う部材であるため、切替ボタン４１ｃとパッシングボタン４１ｄを併せてライト操作部４１に相当する。
【００９０】
また、第３実施形態では、制御部５１は、パッシングボタン４１ｄが押圧された状態で、切替ボタン４１ｃがロービーム側からハイビーム側に切り替わったことを検出した場合、手動モードから自動モードに切り替える。一方、制御部５１は、自動モード中において、パッシングボタン４１ｄが押圧された状態で、切替ボタン４１ｃがハイビーム側からロービーム側に切り替わったことを検出した場合、自動モードから手動モードに切り替える。
【００９１】
このように、第３実施形態では、ライト操作部４１を構成する操作子が複数存在し、複数の操作子の操作を組み合わせた操作がモード切替操作に相当する。なお、第３実施形態とは異なる操作をモード切替操作としてもよい。
【００９２】
以上に説明したように、自動二輪車１は、ハンドルバー３１と、ライト操作部４１と、制御部５１と、を備える。ライト操作部４１は、ハンドルバー３１に設けられており、ヘッドライト１８のロービームとハイビームを手動で切り替える手動モードでロービームを照射するかハイビームを照射するかを切り替えるライト切替操作と、ロービームを一時的にハイビームに切り替えるパッシング操作と、を行うためのものである。制御部５１は、手動モード、ロービームとハイビームを自動で切り替える第１自動モード、及びハイビームの照射範囲を自動で調整する第２自動モードのうち少なくとも２つのモードを実行可能であり、ライト切替操作及びパッシング操作とは異なる操作であるモード切替操作がライト操作部４１に行われたと判定した場合に、手動モード、第１自動モード、及び第２自動モードの少なくとも２つの間でモードを切り替える。
【００９３】
これにより、ライト操作部４１を用いてヘッドライト１８の照射に関するモードを切り替えることができるため、モード切替用の操作子が別途設けられる構成と比較して、ハンドルバー３１に配置される操作子の数を減らすことができる。特に、ハンドルバー３１を備える自動二輪車１は操作子を配置するスペースが限られるため、上記の効果を一層有効に発揮できる。
【００９４】
また、第１又は第２実施形態の自動二輪車１において、ライト操作部４１は、少なくとも１つの操作子（リターンレバー４１ａ又は切替レバー４１ｂ）を備える。ライト切替操作は、手動モード中かつロービームの照射中に操作子を第１方向に移動させてハイビームの照射に切り替える操作と、手動モード中かつハイビームの照射中に操作子を第２方向に移動させてロービームの照射に切り替える操作である。モード切替操作は、操作子を第１方向又は第２方向に移動させる操作を含む。
【００９５】
このように、ライト切替操作とモード切替操作で使用する操作子が共通であり、かつ、操作子の操作方向も共通である。従って、運転者の操作を単純にできるとともに、簡単な構造の操作子を採用できる。
【００９６】
また、第１又は第２実施形態の自動二輪車１において、第１自動モード中又は第２自動モード中に第１方向のライト切替操作が行われたと判定した場合に、手動モードに変更するとともに、ハイビームを照射させる。第１自動モード中又は第２自動モード中に第２方向のライト切替操作が行われたと判定した場合に、手動モードに変更するとともに、ロービームを照射させる。
【００９７】
これにより、現在が手動モードか自動モードの何れかにかかわらず、同じ操作を行うことで、同じ状態（具体的には手動モードかつハイビーム又はロービーム）となる。従って、運転者が操作方法を直感的に把握し易くなる。また、運転者が現在のモードを認識していない場合でも運転者の意図通りの状態となる。
【００９８】
また、第１実施形態の自動二輪車１において、操作子（リターンレバー４１ａ）は、第１方向の操作力が与えられることで第１位置Ｐ１に移動し、第２方向の操作力が与えられることで第２位置Ｐ２に移動し、当該操作力が無くなることで中立位置Ｐ０に戻るオートリターン型である。制御部５１は、操作子が中立位置Ｐ０から離れて第１位置Ｐ１又は第２位置Ｐ２に位置している時間である操作時間に基づいて、ライト切替操作とモード切替操作とを区別する。
【００９９】
このように、オートリターン型で短操作と長操作で操作を区別することで、運転者は、現在の操作子の位置を意識することなく所望の操作を行い易い。更に、第２実施形態と比較して、操作子の位置調整を精密に行う必要がないので、振動があっても所望の操作を実現し易い。以上により、ハンドルバー３１を備える自動二輪車１の操作系としては好適である。
【０１００】
また、第１実施形態の自動二輪車１において、制御部５１は、操作子（リターンレバー４１ａ）の第１方向への操作時間が閾値時間を超えたと判定したときにモード切替操作が行われたと判定する。制御部５１は、操作子が第２位置Ｐ２に位置していることを検出した場合にパッシング操作が行われたと判定する。
【０１０１】
このように、モード切替操作を長操作とすることにより、運転者の意図に反してモードが切り替わることを抑制できる。また、パッシング操作との重複を避けるため、モード切替操作は第１方向の操作とすることが好適である。
【０１０２】
また、第１実施形態の自動二輪車１において、制御部５１は、第１自動モード中又は第２自動モード中であってかつロービームの照射中において、操作子（リターンレバー４１ａ）が第２位置Ｐ２に位置して中立位置Ｐ０に戻った場合、ハイビームを照射させることなく手動モードに切り替える。
【０１０３】
これにより、自動モードから手動モードの変更時に一時的にハイビームが照射されることを防止できる。
【０１０４】
また、第１実施形態の自動二輪車１において、制御部５１は、手動モード、第１自動モード、及び第２自動モードの全てを実行可能であり、共通のモード切替操作が行われる毎に、所定の順番でモードを切り替える。
【０１０５】
このように、モード切替操作を共通にすることで、操作子の数及び操作を検出するセンサの数等を減らしつつ、３つのモードの切替えを行うことができる。
【０１０６】
また、第２実施形態の自動二輪車１において、操作子（切替レバー４１ｂ）は、第１手動位置、第２手動位置、及び自動位置Ｐ１３の少なくとも３つの位置に合わせることが可能である。制御部５１は、操作子が第１手動位置に合わせられた場合は、手動モードでハイビームを照射させる。制御部５１は、操作子が第２手動位置に合わせられた場合は、手動モードでロービームを照射させる。制御部５１は、操作子が自動位置Ｐ１３に合わせられた場合は、第１自動モード又は第２自動モードを実行する。
【０１０７】
これにより、長操作が不要なので短時間でモードを切り替えることができる。
【０１０８】
また、第２実施形態の自動二輪車１において、操作子は、更にパッシング位置Ｐ１４に合わせることが可能であり、パッシング位置Ｐ１４に位置している操作子に与える操作力が無くなると第２手動位置に戻るように構成されている。制御部５１は、操作子がパッシング位置Ｐ１４に合わせられている間は、ハイビームを照射させる。
【０１０９】
これにより、同じ操作子を用いて更にパッシング操作が可能となる。
【０１１０】
また、第１、第２、及び第３実施形態の自動二輪車１において、ライト操作部４１とは別に設けられ、手動モード、第１自動モード、及び第２自動モードの有効及び無効を設定する操作を行うためのメータ装置１９を備える。制御部５１は、モード切替操作が行われたと判定した場合、メータ装置１９へ行われた操作で有効と設定されたモードの中でモードを切り替える。
【０１１１】
これにより、運転者にとって不要なモードを事前に無効にしておくことで、不要なモードに切り替わることを防止するとともに、運転者の操作を単純にできる。
【０１１２】
以上に本発明の好適な実施の形態を説明したが、上記の構成は例えば以下のように変更することができる。
【０１１３】
上記実施形態の自動二輪車１では、３つのモードを全て実行可能であるが、２つのモードのみ（例えば、手動モードと第１自動モード）を実行可能であってもよい。また、自動二輪車１は、４つ以上のモードを実行可能であってもよい。
【０１１４】
上記実施形態では、ハンドルバー３１を備える走行車両の例として、自動二輪車１を説明したが、ハンドルバーを備える別の走行車両にも本発明を適用できる。また、車輪の数も２つに限られず、３つ又は４つ以上であってもよい。ハンドルバーを備える四輪の走行車両としては、例えば、主として非舗装地を走行するための全地形対応車（Ａｌｌ  Ｔｅｒｒａｉｎ  Ｖｅｈｉｃｌｅ）がある。また、自動二輪車１以外の運転者が跨って乗る走行車両（鞍乗型車両）、又は、車体を傾斜させて旋回する車両にも本発明を適用できる。
【符号の説明】
【０１１５】
１  自動二輪車
１８  ヘッドライト
１９  メータ装置（設定操作部）
４１  ライト操作部
４１ａ  リターンレバー（操作子）
４１ｂ  切替レバー（操作子）
４１ｃ  切替ボタン（操作子）
４１ｄ  パッシングボタン
５１  制御部
５２  前方検出部
【図１】
2020152177.tif 000003
【図２】
2020152177.tif 000004
【図３】
2020152177.tif 000005
【図４】
2020152177.tif 000006
【図５】
2020152177.tif 000007
【図６】
2020152177.tif 000008
【図７】
2020152177.tif 000009
【図８】
2020152177.tif 000010
【図９】
2020152177.tif 000011
【図１０】
2020152177.tif 000012
【図１１】
2020152177.tif 000013